(57)【要約】【課題】ニーブラケットを、直線的ではなく、比較的大きく屈曲させた場合でも、要求される前記圧壊特性を発揮しうるアルミニウム合金製ニーブラケットを提供する。【解決手段】ニーブラケット１は、単一のアルミニウム合金押出中空形材からなり、一対の面板２、３とこれらの面板間をつなぐ複数本の板状リブ４、５、６、７とから少なくとも構成され、一対の面板２、３は各々下方に向けて屈曲するＶ字形状あるいはＵ字形状の断面形状を有し、下方側の面板３の厚みが、上方側の面板の厚みよりも薄くなっている。【選択図】図１
2010100238.tif 000002
【特許請求の範囲】
【請求項１】
自動車車室内の前座席の前方に配置され、以下のａ〜ｅの要件を有することを特徴とするニーブラケット。
ａ．このニーブラケットは、単一のアルミニウム合金押出中空形材からなり、この押出形材の押出方向が車体幅方向となるように配置されている。
ｂ．この単一のアルミニウム合金押出中空形材は、一対の面板とこれらの面板間をつなぐ複数本の板状リブとから少なくとも構成されている。
ｃ．前記一対の面板の車体後方側の端部は、乗員の膝に対して向き合うニーパネルに固定されて荷重点とされる一方で、前記一対の面板の車体前方側の端部は車体へ固定されて支持点とされる。
ｄ．前記面板は各々下方に向けて屈曲するＶ字形状あるいはＵ字形状の断面形状を有する。
ｅ．前記面板のうち、下方側の面板の厚みが、上方側の面板の厚みよりも薄くなっている。
【請求項２】
前記ニーブラケットが、前記面板のＶ字形状あるいはＵ字形状の断面形状における各屈曲点同士を結ぶ仮想連結線が、車体衝突時の前記ニーパネルへの乗員の膝の想定押し込み力方向に対して直角となるように車体前後方向に配置されている請求項１に記載のニーブラケット。
【請求項３】
前記ニーパネルの受圧部分の延在方向が前記乗員の膝の想定押し込み力方向に対して直角方向から傾斜している請求項１または２に記載のニーブラケット。
【請求項４】
前記ニーブラケットが、車体に配置されたダッシュボックスとの干渉防止が可能な屈曲度を車体前後方向に亙って有する請求項１乃至３のいずれか１項に記載のニーブラケット。
【請求項５】
請求項１から４のいずれかのニーブラケットを用いて自動車乗員の膝を保護する方法であって、前記ニーパネルの受圧部分に乗員の膝が衝突した際に、前記ニーブラケットを下方に向けて変形させて、前記乗員の膝衝突の衝撃を緩和することを特徴とする自動車乗員の膝保護方法。
【発明の詳細な説明】
【技術分野】
【０００１】
本発明は、アルミニウム合金中空形材からなり、優れたエネルギー吸収性能を持つニーブラケット（自動車乗員の膝支持体、膝保護部材、ニーパネルの支持ブラケット等）および自動車乗員の膝保護方法に関するものである。
【背景技術】
【０００２】
従来から、自動車などの車体には、車体衝突時に乗員の膝（脚部とも言う）を保護する、ニープロテクタやニーボルスターとも称される、ニーブラケットが設けられている。このニーブラケットには、軽量化とエネルギー吸収性能などの観点から、アルミニウム合金押出中空形材が素材として多く用いられている。
【０００３】
このニーブラケットは、乗員の膝保護の目的から、自動車車室内の配置位置として、前座席の前方で、乗員と車体との間にあって車体前後方向に配置される。そして、車体後方側の端部は、乗員の膝に対して向き合うニーパネル（受圧板、受け板など）に固定される一方、車体前方側の端部は車体へ固定される。この車体への固定は、通常、車室内前方に設けられた、ステアリングコラムを支持するためのインパネ補強材に接合されて行われる。インパネ補強材は、車体幅方向に延在している長尺の管状部材で、インパネリーンフォース、ステアリングサポートビーム、ステアリングハンバービーム、クロスカービームとも言う。
【０００４】
ニーブラケットには、乗員の膝部に対する車体部材への最適位置での取り付けや、車体前後方向での連続的な塑性変形による衝突エネルギー吸収量を確保するためにも、その車体前後方向に亙る断面形状（隔壁）は、ある程度の長さ (ストローク) が必要である。このストロークが短ければ、衝突エネルギー吸収が吸収しきれずに、膝部への荷重が上昇してしまい、乗員の膝部を保護することができなくなる。
【０００５】
したがって、ニーブラケット（の隔壁）には、前記塑性変形を開始する初期荷重が乗員の膝に傷害を与えない程度に小さいことが要求される。また、そのストロークの範囲での塑性変形途中において、局所変形などが生じて、折れ曲がりや破損が発生することが無く、連続的に塑性変形して、一定の衝突エネルギー吸収量を確保し続けることが要求される。言い換えると、ニーブラケットには、乗員の膝衝突の際に必要なエネルギー吸収量を確保することと、乗員の膝に傷害のダメージを与えないこととを両立させた圧壊特性が求められる。
【０００６】
これに対して、アルミニウム合金押出中空形材からなるニーブラケットにおいても、優れた圧壊特性を発揮するための断面形状（車体前後方向に亙る断面の全体形状）は、従来から種々提案されている。例えば、特許文献１では、ニーパネルの取り付け側から、順次車体前方側へ、順次塑性変形していくように、水平なパンタグラフ状 (菱形状) に一体的に構成された一定長さの隔壁を有する。
【０００７】
また、特許文献２、３では、ニーブラケットは、乗員の膝の位置に対して、斜め上方から下方に向かって向き合うように、膝の前方に配置され、上方へ湾曲する長状のフレーム（面板）とこれをつなぐ板状リブとで、トラス状あるいは角形状の複数連設された隔壁を構成する。そして、前記特許文献１同じく、ニーパネルの取り付け側から順次車体前方へ、隔壁を塑性変形させていく。これらのような隔壁は、軽量化目的とその複雑な断面構造から、前記した通り、通常は、アルミニウム合金押出中空形材によって一体的に形成される。
【０００８】
ただ、これら従来のアルミニウム合金押出中空形材から一体的に形成される隔壁では、乗員保護用部材としての要求性能を発揮できる隔壁の長さには限界がある。これに対して、自動車車体に応じて、その隔壁長さを自由に調節でき、衝突エネルギー吸収量を確保および自由に調節できるアルミニウム合金製ニーブラケットも提案されている。例えば、特許文献４、５などでは、断面が菱形形状のアルミニウム合金中空形材同士を、その断面方向に複数個互いに連結してエネルギー吸収部を構成し、隔壁長さを調節でき、衝突エネルギー吸収量も確保したニーブラケットが提案されている。
【０００９】
【特許文献１】米国特許３、９３１、９８８号明細書
【特許文献２】特開平５−２３８３３８号公報
【特許文献３】特開２００３−１２７８１４号公報
【特許文献４】特開２００５−５３４３７号公報
【特許文献５】特開２００５−５３４３８号公報
【発明の開示】
【発明が解決しようとする課題】
【００１０】
これら提案されている、アルミニウム合金中空形材からなるニーブラケットは、乗員と車体との間の車体前後方向の全体形状が、直線状や円弧状などを含めて、概ね直線的であれば、上記所定の圧壊荷重特性を得ることができ、優れたエネルギー吸収性能を発揮しやすい。
【００１１】
ただ、車室内前方に設けられたダッシュボックスとの位置関係や、乗員の膝に対して向き合うニーパネルの形状などの設計によっては、ニーブラケットが直線的であった場合、ダッシュボックスなどの他の車体部品と干渉する場合が起こり得る。
【００１２】
このような干渉を防止するためには、ニーブラケットを、直線的ではなく、干渉する箇所を迂回すべく、比較的大きく屈曲させ、変形させる必要がある。即ち、車体に配置されたダッシュボックスなどの他の車体部品との干渉防止が可能な屈曲度に、ニーブラケットを、干渉する箇所においてＶ字あるいはＵ字形状に屈曲させる必要がある。
【００１３】
しかし、このように、ニーブラケットを比較的大きく屈曲させた場合、アルミニウム合金中空形材からなるニーブラケットでは、所定の圧壊荷重特性を得ることが難しいという問題がある。これは、車体衝突時に、前記ニーパネルを介して、前記乗員の膝の押し込み力（圧壊荷重）がニーブラケットの車体前後方向に負荷された場合に、前記屈曲部における圧壊方向が異なる（大きくずれる）ことによる。
【００１４】
通常は、ニーブラケットが車体前後方向に概ね直線的であり（多少の全体的な湾曲形状を含む）、前記した直線的に概ね車体前後方向に配置されている。したがって、前記乗員の膝の押し込み力（圧壊荷重）方向、即ち、乗員の膝の押し込み力の想定される負荷方向と、ニーブラケットの圧壊方向とは、同一線上にくるなど大きなずれはなく、上記所定の圧壊荷重特性を得やすい。
【００１５】
しかし、ニーブラケットが、前記干渉防止のために、比較的大きく屈曲していると、前記押し込み力方向と圧壊方向とに大きなずれが生じるために、アルミニウム合金中空形材からなるニーブラケットには、局所変形や不安定な変形が生じやすくなる。この局所変形が、ニーブラケット（の隔壁）の塑性変形途中において生じると、前記した通り、折れ曲がりや破損が発生しやすくなり、連続的に塑性変形して、一定の衝突エネルギー吸収量を確保し続けることが困難となる。言い換えると、ニーブラケットに要求される、ダメージを与えない荷重しか乗員の膝に負荷しないことと、乗員の膝衝突の際に必要なエネルギー吸収量を確保することとを両立させた圧壊特性が達成できなくなる。
【００１６】
そして、この傾向は、前記乗員の膝の押し込み力を受ける前記ニーパネル（受圧板）の延在方向が、前記乗員の膝の押し込み力方向に対して垂直方向から傾斜しているなど、衝突時の荷重の作用方向が、前記押し込み力の方向と違う場合にも助長される。即ち、このような場合にも、アルミニウム合金中空形材からなるニーブラケットには、不安定な変形が生じやすくなり、上記所定の圧壊荷重特性が得られない。
【００１７】
したがって、本発明の目的は、ニーブラケットを比較的大きく屈曲させるなど、前記乗員の膝の押し込み力方向と圧壊方向とに大きなずれがある場合や、衝突時の荷重の作用方向が前記乗員の膝の押し込み力の方向と違う場合にでも、ニーブラケットに要求される前記圧壊特性を発揮しうるアルミニウム合金製ニーブラケットおよび自動車乗員の膝保護方法を提供しようとするものである。
【課題を解決するための手段】
【００１８】
この目的を達成するために、本発明のニーブラケットの要旨は、自動車車室内の前座席の前方に配置され、以下のａ〜ｅの要件を有することである。
ａ．このニーブラケットは、単一のアルミニウム合金押出中空形材からなり、この押出形材の押出方向が車体幅方向となるように配置されている。
ｂ．この単一のアルミニウム合金押出中空形材は、一対の面板とこれらの面板間をつなぐ複数本の板状リブとから少なくとも構成されている。
ｃ．前記一対の面板の車体後方側の端部は、乗員の膝に対して向き合うニーパネルに固定されて荷重点とされる一方で、前記一対の面板の車体前方側の端部は車体へ固定されて支持点とされる。
ｄ．前記面板は各々下方に向けて屈曲するＶ字形状あるいはＵ字形状の断面形状を有する。
ｅ．前記面板のうち、下方側の面板の厚みが、上方側の面板の厚みよりも薄くなっている。
【００１９】
ここで、本発明は、前記ニーブラケットが、前記面板のＶ字形状あるいはＵ字形状の断面形状における各屈曲点同士を結ぶ仮想連結線が、車体衝突時の前記ニーパネルへの乗員の膝の想定押し込み力方向に対して直角となるように車体前後方向に配置されていることが好ましい。前記ニーパネルの受圧部分の延在方向が前記乗員の膝の想定押し込み力方向に対して直角方向から傾斜している場合に用いられて好適である。また、前記ニーブラケットが、車体に配置されたダッシュボックスとの干渉防止が可能な屈曲度を車体前後方向に亙って有することが好ましい。
【００２０】
更に、本発明の自動車乗員の膝保護方法の要旨は、これらいずれかの要旨のニーブラケットを用いて自動車乗員の膝を保護する方法であって、前記ニーパネルの受圧部分に乗員の膝が衝突した際に、前記ニーブラケットを下方に向けて変形させて、前記乗員の膝衝突の衝撃を緩和することである。
【発明の効果】
【００２１】
本発明において、ニーブラケットが単一のアルミニウム合金押出中空形材からなり、前記したａ〜ｃの要件からなることは、従来の単一のアルミニウム合金押出中空形材からなるニーブラケットと概ね同じである。
【００２２】
但し、本発明は、前記ｄの要件のように、ニーブラケット（面板）が各々下方に向けて屈曲する（車体前後方向に亙る）Ｖ字形状あるいはＵ字形状の断面形状を有することを前提とする。その上で、前記ｅの要件のように、前記面板のうち、下方側の面板の厚みが、上方側の面板の厚みよりも薄くなっていることである。これによって、本発明の自動車乗員の膝保護方法の前記要旨のように、前記ニーパネルの受圧部分に乗員の膝が衝突した際に、前記ニーブラケットを下方に向けて変形させて、前記乗員の膝衝突の衝撃を緩和する。
【００２３】
言い換えると、本発明は、前記ニーブラケットの荷重点と支持点との間で、ニーブラケット自体の前記車体前後方向に亙るＶ字形状あるいはＵ字形状の断面形状を、謂わば屈曲構造体として、下方に向けて変形させて、前記乗員の膝衝突の衝撃を緩和する。この効果は、本発明のニーブラケットが、ダッシュボックスなどの車体部材との干渉防止のために、前記したＶ字形状あるいはＵ字形状の断面形状を有して、車体前後方向に亙って大きく屈曲（湾曲）している際に最も発揮される。しかし、本発明のように屈曲したニーブラケットでは、前記押し込み力方向と圧壊方向とに大きなずれが生じるために、前記乗員の膝衝突による押し込み力（圧壊荷重）が負荷された際に、所定の圧壊荷重特性が得られず、必然的にニーブラケットに局所変形や不安定な変形が生じやすくなる。
【００２４】
これに対して、本発明では、前記ニーパネルの受圧部分（荷重点）に乗員の膝が衝突した際に、ニーブラケット自体の前記車体前後方向に亙るＶ字形状あるいはＵ字形状の断面形状を、謂わば屈曲構造体として、下方に向けて変形させて、ニーブラケットの局所変形や不安定な変形を防止する。この結果、所定の圧壊荷重特性が得られ、乗員の膝衝突の衝撃を大きく緩和することができる。本発明では、前記乗員の膝衝突による押し込み力が負荷された際に、ニーブラケットの荷重点と支持点との間の車体前後方向に亙る断面部位で、下方への折れ変形が積極的に生じるように設計して、この効果を達成する。
【００２５】
このために、本発明は、前記ニーブラケットの折れ変形が支配的になるように、前記ｅの要件のように、前記面板のうち、下方側の面板の厚みが、上方側の面板の厚みよりも薄くする。これによって、上下両方の面板の厚みが同じような場合や上方側の面板の厚みの方が厚い場合に比して、前記乗員の膝衝突による押し込み力が負荷された際に、前記ニーブラケットの折れ変形が支配的になる。
【００２６】
更に、本発明は、前記屈曲構造体での折れ変形が支配的になるように、これら構造的な特徴の他に、前記ニーブラケットの配置の仕方あるいは取り付け方として、前記仮想連結線が、車体衝突時の前記ニーパネルへの乗員の膝の想定押し込み力方向に対して垂直となるように車体前後方向に配置するようにすることが好ましい。なお、ここで言う、仮想連結線とは、前記面板のＶ字形状あるいはＵ字形状の断面形状における屈曲点（変曲点あるいは屈曲部頂点）であって、上下面板の各屈曲点同士を結ぶ仮想連結線である。このようにすることで、前記乗員の膝衝突による押し込み力による変形が、前記面板の各屈曲点ないし前記仮想連結線に集中する。この結果、ニーブラケットが、前記車体部材との干渉防止のために車体前後方向に亙って比較的大きく屈曲し、前記押し込み力方向と圧壊方向とに大きなずれが生じていても、前記面板の各屈曲点以外の部位での局所変形や不安定な変形が却って生じにくくなる。
【００２７】
以上のように、本発明では、ニーブラケットが前記車体部材との干渉防止のために車体前後方向に亙って比較的大きく屈曲していても、乗員の膝衝突の際の必要エネルギー吸収量を確保することと、乗員の膝に傷害を与えないこととの両立が可能である。本発明は、ニーブラケットが前記車体部材との干渉防止のために車体前後方向に亙って比較的大きく屈曲しておらずとも、前記した押し込み力方向とニーブラケットの圧壊方向とに大きなずれがある場合や、衝突時の荷重の作用方向が前記乗員の膝の押し込み力の方向と違う場合には有効である。
【発明を実施するための最良の形態】
【００２８】
以下、本発明の実施形態について、図面を用いて以下に詳述する。先ず、図１、２によって、本発明ニーブラケットの基本的な構成と作用効果（メカニズム）とを示す。図１、２はニーブラケットの車体前後方向に亙る断面図であり（側面図でもある）、図２は、図１のニーブラケットが前記車体衝突時の乗員の膝の押し込み力によって変形した状態を示す。これら図１、２におけるニーブラケットの断面が、図１、２の左右方向である、車体の前後方向（図１の左方向が前側）に亙って延在するよう、前記自動車車室内に配置される。
【００２９】
（基本構造)
図１において、ニーブラケット１は、単一のアルミニウム合金押出中空形材からなり、一対の面板２、３とこれらの面板間をつなぐ、複数本の（４本の）補強用の板状リブ４、５、６、７とから少なくとも構成されている。このニーブラケット１の車体前後方向に亙る断面において、一対の面板２、３は、板厚方向を車体上下方向として、互いに車体上下方向に間隔をあけながら、上方の面板２と下方の面板３とが互いに略平行に、車体前後方向に延在する。
【００３０】
一対の面板２、３は、車体前後方向に亙り、Ｖ字形状あるいはＵ字形状に、屈曲ないし湾曲した形状を有している。これは、後述する通り、前記屈曲部であるＶ字形状あるいはＵ字形状によって、車室内前方に設けられたダッシュボックスなどの、他の車体部品や部材との干渉を防止するためである。
【００３１】
図１における、これらアルミニウム合金押出中空形材の押出断面形状が、ニーブラケット１の車体前後方向に亙る基本的な断面構成となる。なお、図１における押出中空形材の押出方向は、図１の車体前後方向（図１の左右方向）に対して直角方向の、図１の手前から図の奥に向かう方向となる。
【００３２】
ニーブラケット１を構成する単一のアルミニウム合金押出中空形材における、前記一対の面板２、３と、板状リブ４、５、６、７とは、後述する図３に示すように、車体幅方向に亙って所定の均一な板幅を有し、この板幅がニーブラケット１の車体幅方向の幅を規定している。
【００３３】
ここで、ニーブラケット１の構成に関して使用した前記「少なくとも」という意味は、これら面板や板状リブ以外に、図１で示すフランジ９、９や端板８など、他の車体部材との接合用などの必要部分や部位を有しても良いという意味である。なお、図１では、フランジ９、９や端板８などの、面板や板状リブ以外の必要部分や部位も、単一のアルミニウム合金押出中空形材から構成し、面板や板状リブとともに予め一体に熱間押出している。しかし、他の車体部材との取り付け方によっては、必要に応じて、これら他の車体部材との接合用などの必要部分や部位を別途作製しておき、ニーブラケット１（アルミニウム合金押出中空形材）に対して、後から接合しても良い。
【００３４】
フランジ９、９は面板２、３の車体前方側の各端部２ｂ、３ｂから前方に（図１の左側に）張り出された、車体であるインパネ補強材２０との接合用のフランジである。このフランジ９、９は、ニーブラケット１を固定する車体部材や車体部材の形状、位置、あるいは接合手段の選択や設計に応じて、その形状や構造を含めて、ニーブラケット１に選択的に設けられる。
【００３５】
（ニーブラケットの支持点と荷重点）
図１の態様では、このフランジ９、９によって、インパネ補強材２０の外周部を挟持する形で、ニーブラケット１が車体に固定され、前記一対の面板２、３の車体前方側の端部の支持点とされる。接合自体はボルト、リベットなどの機械的な接合手段によって接合する。
【００３６】
また、端板８は面板２、３の車体後方側の各端部２ｃ、３ｃに設けられた、図示しないニーパネルとの接合用の端板（車体上下方向に張り出したフランジ付き）である。この端板８が、乗員の膝に対して向き合うニーパネル３０に固定され、前記一対の面板２、３の車体後方側の端部の荷重点とされる。
【００３７】
なお、この端板８は、後述する固定するニーパネルの位置や形状、あるいは接合手段の選択や設計に応じて、その形状や構造を含めて、ニーブラケット１に選択的に設けられる。ニーパネルは通常樹脂製であり、アルミニウム合金製ニーブラケット１との接合に特別の配慮は不要である。この点、ニーブラケット１を鋼製部材と異材接合する場合には電食防止のための絶縁皮膜乃至塗膜を介在させることが必要となる。また、このような鋼製部材と異材接合する場合には、溶接のみによる接合は、接合強度の点で好ましくなく、機械的な接合のみか、機械的な接合も併用することが好ましい。一方、ニーブラケット１を同じアルミニウム合金製部材と接合する場合には特別の配慮は不要である。
【００３８】
（面板の厚み関係）
ここで、図１に示すように、面板２、３の内、下方の面板３の厚みが、上方の面板２の厚みよりも薄くなっている。これによって、面板３の中央部３ａにおける屈曲点１２の強度なり剛性なりを低下させ、前記屈曲構造体の折れ変形をより発生しやすくする。したがって、前記押し込み力による変形が前記面板２、３同士の各屈曲点１１、１２あるいは仮想連結線１３に集中する効果や、前記折れ変形が支配的になる効果が発揮されやすくなる。
【００３９】
但し、この下方の面板３の厚みが上方の面板２の厚みよりも薄い差厚効果は、ニーブラケット自体が屈曲していることを前提とする。ニーブラケットの車体前後方向に亘る断面形状が直線的であれば、下方の面板３の厚みが上方の面板２の厚みよりも薄い差厚効果は、単に面板３やニーブラケット自体の強度を弱めるだけで、逆効果となる。
【００４０】
ここで、下方の面板３の厚みが上方の面板２の厚みよりも薄い差厚効果を得るために厚みを薄くするのは、下方の面板３の車体前後方向に亙る全域であっても良いが、図１のように下方の面板３の中央部だけでも良い。即ち、図１はこのような場合を示し、下方の面板３の中央部３ａにおける屈曲点１２を挟む中央部領域のみ厚みを部分的に薄くし、ニーブラケットの支持点と荷重点に近い両端部分は上方の面板２の厚みと同じとしている。ただ、面板３全体の厚みや、面板３周辺部の面板３の厚みを部分的に、前記強度を弱めるだけの逆効果とならない範囲で、上方の面板２の厚みよりも薄くしても良い。
【００４１】
（受圧面の延在方向と押し込み力方向）
この図１の態様では、この車体上下方向に延在する端板８が、面板２、３の車体後方側の各端部２ｃ、３ｃとともに、想定される乗員の膝の押し込み力（以下、想定されるを省略して、単に、乗員の膝の押し込み力あるいは押し込み力とも言う）に対する受圧面を構成する。この図１の場合、図１に矢印と点線１４（乗員の膝の軌跡）とで示す押し込み力方向は図１の横方向である。しかし、この押し込み力方向の角度や方向は、ニーブラケット１の取り付け位置自体が、水平方向とは限らず、角度がついた斜めにもなるため、これに応じて種々異なる。
【００４２】
ニーブラケット１の前記車体後方側の、端板８や面板２、３の車体後方側の各端部２ｃ、３ｃで構成される受圧面の延在方向（車体の上下方向）は、図１に矢印と点線１４（乗員の膝の軌跡）とで示す、想定される押し込み力方向に対してほぼ直角となっていることが好ましい。前記受圧面の延在方向と前記押し込み力方向とがほぼ直角であれば、前記押し込み力による変形が、前記面板２、３同士の各屈曲点１１、１２あるいは仮想連結線１３に集中する効果、前記屈曲構造体での折れ変形が支配的になる効果が最大限に発揮される。
【００４３】
しかし、この図１では、車体設計上、この押し込み力の方向に対する前記受圧面の延在方向はほぼ直角とできない場合を示している。車体設計上、想定される乗員の膝の押し込み力方向に対して、受圧面の延在方向が直角から大きく傾いている場合、乗員の膝の押し込み力方向が図のほぼ横方向であるので、図１に示すように、受圧面の延在方向は、図の縦（上下）方向から大きくずれて、車体後方側に（図の右側に）大きく傾いている。
【００４４】
このような場合には、前記本発明構成によって前記押し込み力による変形が前記面板２、３同士の各屈曲点１１、１２あるいは仮想連結線１３に集中する効果が最大限に発揮されにくくなる。即ち、乗員の膝の押し込み力が作用した場合、受圧面が反時計回りに回転するように変形してしまう。この結果、前記本発明構成によって前記押し込み力による変形が前記面板２、３同士の各屈曲点１１、１２あるいは仮想連結線１３に集中しなくなり、前記折れ変形が支配的にはならない可能性が生じる。このため、ニーブラケットの局所変形や不安定な変形を防止できず、前記安定した圧壊荷重特性が得にくくなる可能性が生じる。
【００４５】
ただ、これに対しても、前記下方の面板３の厚みが、上方の面板２の厚みよりも薄くなっていることが効果を発揮する。即ち、下方の面板３の厚みが上方の面板２の厚みよりも薄いと、面板３の中央部３ａにおける屈曲点１２の強度なり剛性なりを低下させ、前記折れ変形をより発生しやすくする。したがって、図１に示すように、押し込み力の方向に対する前記受圧面の延在方向を直角とできない場合でも、前記押し込み力による変形が前記面板２、３同士の各屈曲点１１、１２あるいは仮想連結線１３に集中する効果や、前記折れ変形が支配的になる効果が発揮されやすくなる。
【００４６】
（屈曲構造体）
図１の実施態様では、前記折れ変形をより支配的にするために、前記下方の面板３の厚みが上方の面板２の厚みよりも薄い差厚効果に加えて、好ましくは、ニーブラケット１の荷重点（端板８）と支持点（フランジ９、９）との間に、屈曲構造体を形成させている。この屈曲構造体は「矢羽根」などの形状に類似した断面形状で、Ｖ字形状あるいはＵ字形状の断面形状とも言える構造体である。そして、ニーパネルを介したニーブラケット１の受圧部分（荷重点：端板８）に乗員の膝が衝突した際に、この屈曲構造体を下方に向けて変形させて、ニーブラケット１の局所変形や不安定な変形を防止している。この結果、所定の圧壊荷重特性が得られ、乗員の膝衝突の衝撃を大きく緩和することができる。
【００４７】
このように、前記押し込み力によるニーブラケット１の前記車体前後方向に亙る断面部位の変形に対して、他の断面部位よりも、屈曲構造体の下方に向かう折れ変形が支配的になるようにする。これによって、前記乗員の膝の押し込み力方向と圧壊方向とに大きなずれがある場合や、衝突時の荷重の作用方向が前記乗員の膝の押し込み力の方向と違う場合にでも、ニーブラケットに要求される圧壊特性を達成することが可能となる。
【００４８】
図１の態様では、ダッシュボックスなどの他の車体部品や部材との干渉を防止する目的で、面板２、３をＶ字形状あるいはＵ字形状に屈曲させている。そして、ニーブラケットに積極的に屈曲しやすい部分を設ける目的で設けた屈曲構造体もＶ字形状あるいはＵ字形状の断面形状をさせている。したがって、これらを合わせて、ニーブラケット１全体としても、車体前後方向に亙り、Ｖ字形状あるいはＵ字形状に、屈曲ないし湾曲した形状を有している。
【００４９】
図１の屈曲構造体の構成を以下に具体的に説明する。ニーブラケット１は、その一対の面板２、３が、互いにその中央部２ａ、３ａにおいて、下方に向けて屈曲している。即ち、上方の面板２は屈曲点（最下点）１１、面板３は屈曲点（最下点）１２を有している。これら面板２、３の中央部２ａ、３ａの屈曲部（あるいは中央部の屈曲部２ａ、３ａ）が、後述する仮想連結線１３に対して車体前後方向で平行に隣り合う板状リブ５、６とともに屈曲構造体を形成している。すなわち、ニーブラケット１の車体前後方向中央部に、面板２，３中央部の屈曲部２ａ、３ａと、平行に隣り合う板状リブ５、６とによって、前記屈曲点１１、１２を頂点とするＶ字形状あるいはＵ字形状の断面形状を有する屈曲構造体を形成している。
【００５０】
この屈曲構造体での折れ変形が支配的になるように、この屈曲構造体に、最も圧壊しやすく荷重が小さくて弱い部位を設け、折れ変形が積極的に生じるように設計する。この屈曲構造体における、この最も圧壊しやすく荷重が小さくて弱い部位が、前記面板２、３同士の中央部２ａ、３ａにおける屈曲の各屈曲点１１、１２であり、これら屈曲点１１、１２を結ぶ仮想連結線１３に沿った部位の存在である。
【００５１】
但し、この屈曲構造体を単純に弱くすれば良いというものではなく、車体衝突時の乗員の膝の押し込み力負荷に対して、この屈曲構造体の局所変形や割れ、あるいは不安定な変形の発生を防止して、下方に向かう折れ変形が積極的に生じるようにするためには、構造体としてのそれなりの強度や剛性が必要である。
【００５２】
このために、前記板状リブのうち、前記仮想連結線１３を挟んで相隣り合う板状リブ５、６同士を、この仮想連結線１３に対して互いに平行に設ける。したがって、この図１では、板状リブ５、６同士は、その向きがほぼ垂直に（車体上下方向に）に設けられている。そして、これら板状リブ５，６と、面板中央部の屈曲部２ａ、３ａとで、ニーブラケット１の荷重点（端板８）と支持点（フランジ９、９）との間に、Ｖ字形状あるいはＵ字形状の断面形状を有する、前記「矢羽根」に類似した断面形状の構造体として形成している。
【００５３】
なお、前記仮想連結線１３に対して車体前後方向で隣り合う板状リブ５、６同士は、この仮想連結線１３に対して互いに平行でさえあれば、板状リブ５、６同士の車体上下方向の向きは必ずしも図１のように垂直でなくとも良い。即ち、板状リブ５、６同士が平行に、かつ車体上下方向に互いに傾斜して設けられても良い。
【００５４】
これに対して、板状リブ５、６同士が、仮想連結線１３に対して互いに平行ではなく、互いに近づくあるいは離れるように、車体上下方向に比較的大きく傾斜して設けられたような場合には、前記押し込み力による変形が、面板２、３同士の中央部２ａ、３ａにおける屈曲の各屈曲点１１、１２あるいは仮想連結線１３に集中しなくなる。
【００５５】
（ニーブラケットの取り付け方）
更に、本発明は、前記折れ変形が支配的になるように、以上の構成の他に、前記ニーブラケットの配置の仕方あるいは取り付け方として、前記仮想連結線が、車体衝突時の前記ニーパネルへの乗員の膝の想定押し込み力方向に対して直角となるように車体前後方向に配置するようにする。
【００５６】
すなわち、図１において、ニーブラケット１の前記仮想連結線１３が、図１に矢印と点線１４とで示す、車体衝突時の乗員の膝の想定押し込み力方向に対して、直角となるように車体前後方向に配置されているようにする。図１では、前記押し込み力方向がほぼ水平であるので、前記仮想連結線１３も、これに対して直角方向のほぼ垂直方向となる。なお、押し込み力方向が水平から傾いた場合でも、前記仮想連結線１３方向は、この押し込み力方向に対してほぼ直角とする。
【００５７】
このように構成することで、ニーブラケット１の最も弱い部位を積極的に折れ変形させることができる。言い換えると、前記押し込み力によるニーブラケット１の前記車体前後方向に亙る断面部位の変形に対して、前記面板２、３同士の中央部２ａ、３ａにおける屈曲の各屈曲点１１、１２や仮想連結線１３に沿った部位での折れ変形を支配的にできる。
【００５８】
図１の場合、矢印と点線１４とで示す押し込み力方向は略水平であり、この押し込み力の方向に対する、図示しないニーパネルの乗員の膝の受圧面と端板８とが平行だとすると、受圧面の延在方向はほぼ直角（垂直）となっている。ここで、押し込み力方向は、車体設計上、略水平の場合のみには限らず、水平方向から傾いている場合も当然ある。しかし、押し込み力の方向がいずれの場合でも、押し込み力の方向に対して、前記受圧面の延在方向がほぼ直角となっている場合に、前記本発明構成によって前記押し込み力による変形が、前記面板２、３同士の各屈曲点１１、１２あるいは仮想連結線１３に集中する効果、言い換えると前記屈曲構造体の下方への折れ変形が生じる効果が、最大限に発揮される。
【００５９】
（ニーブラケットの変形機構）
図２は、図１のニーブラケット１が前記車体衝突時の乗員の膝の押し込み力によって変形した状態を示し、点線が元の図１の初期形状のニーブラケット１を、実線が変形後のニーブラケット１を各々示す。この図２は、後述する図９、１１のニーブラケット１の変形解析結果を集約して記載したものでもある。
【００６０】
この図２から分かる通り、前記した本発明構成によって、前記押し込み力による変形が、前記面板２、３同士の中央部２ａ、３ａにおける屈曲の各屈曲点１１、１２あるいは仮想連結線１３に集中していることが分かる。そして、板状リブ５，６と、面板中央部の屈曲部２ａ、３ａとで構成する前記「矢羽根」形状の構造体部分が、局所変形や割れ、あるいは不安定な変形を生ずることなく、構造体全体としての形状を保ちつつ、下方に折れ変形していることが分かる。
【００６１】
このため、ニーブラケット１が、前記車体部材との干渉防止のために、車体前後方向に亙って比較的大きく屈曲し、前記押し込み力方向と圧壊方向とに大きなずれが生じていても、面板中央部２ａ、３ａにおける屈曲の各屈曲点１１、１２あるいは仮想連結線１３（前記屈曲構造体）以外の部位では、局所変形や不安定な変形が生じにくくなる。この結果、ニーブラケット１が前記車体部品や部材との干渉防止のために、車体前後方向に亙って比較的大きく屈曲していても、乗員の膝衝突の際の必要エネルギー吸収量を確保することと、ダメージを与えない荷重しか乗員の膝に負荷しないこととの両立が可能である。
【００６２】
（ニーブラケットの全体形状)
図１の場合、前記した通り、ニーブラケット１は、車体前後方向の全体形状として、Ｖ字形状あるいはＵ字形状に、屈曲ないし湾曲した形状を有している。これは、前記したように、屈曲構造体のＶ字形状あるいはＵ字形状の断面形状と、屈曲構造体の車体前後方向の周囲部分を含めた面板２、３全体のＶ字形状あるいはＵ字形状の断面形状の、形状（角度、大きさなど）が一致しているからである。
【００６３】
ただ、これらの形状は、図１のように必ずしも互いに一致させる必要はなく、面板２、３全体のＶ字形状あるいはＵ字形状の断面形状と、屈曲構造体のＶ字形状あるいはＵ字形状の断面形状との、角度や大きさなどを変えても勿論良い。例えば、屈曲させる部分を中央の屈曲構造体のみとし、この屈曲構造体の車体前後方向の周囲部分の面板２、３を、この屈曲構造体と同じ角度に屈曲させない、例えばフラットな形状（図１における周囲部分の面板２、３を横方向乃至水平方向に延在させる）としても良い。この場合、ニーブラケット１は、中央の屈曲構造体を除き、全体として（車体前後方向に亙る断面形状として）は、屈曲せずに、直線的となる。なお、前記したＶ字形状あるいはＵ字形状の意味は、厳密な意味でのＶ字あるいはＵ字の形状ではなく、Ｖ字あるいはＵ字に近似し、Ｖ字あるいはＵ字と言える形状をも含みうるものである。
【００６４】
仮に、従来のように、ニーブラケット１の全体形状が単に直線的であった場合や多少の湾曲があった場合には、ニーブラケット１の車体前後方向の配置角度を変えて、水平ではなく車体上下方向に角度を付けて傾斜させたとしても、ダッシュボックスなどの他の車体部品や部材との干渉は防止できにくい。これに対して、本発明では、ニーブラケット１の中央部に屈曲部を設けているので、この中央部の屈曲部を除き、ニーブラケット全体形状が例え前記した直線的であったとしても、この屈曲部において他の車体部品や部材との干渉の回避が容易である。ただ、この屈曲部やニーブラケット１全体の屈曲度は、他の車体部品や部材との干渉を防止して、迂回できるよう、図１などの実施態様のように、比較的大きく屈曲させることが好ましい。
【００６５】
より具体的に、前記面板２、３中央部の各屈曲部２ａ、３ａは、車体に配置されたダッシュボックスなどとの干渉防止が可能な、下方への屈曲度を有することが好ましい。もちろん、この屈曲度は、板状リブ５、６と、面板中央部の屈曲部２ａ、３ａとで構成する、前記屈曲構造体などの下方への折れ変形を保障するものでなければならない。ただ、乗用車の車種毎の車体設計（ダッシュボックスなどの形状や大きさ）によって異なるものの、前記屈曲構造体の下方への折れ変形を保障した上で、干渉防止が可能な屈曲度を定量化すると、この屈曲度は、ニーブラケット１の車体前後方向に亙る断面の長さＬが１２０〜２００ｍｍ程度の場合には、直線に対する屈曲角度が８０〜１２０度程度である。
【００６６】
（板状リブの態様）
図１では、屈曲構造体を構成する板状リブ５、６以外にも、仮想連結線１３を挟んで、前記板状リブ４や７が車体前後側に各々設けられている。すなわち、この図１では、仮想連結線１３を挟んで、板状リブ４、５の２本が車体前方側に、板状リブ６、７の２本が車体後方側に設けられている。
【００６７】
板状リブ４や７も、前記屈曲構造体を構成する板状リブ５、６と同様に、面板２、３の変形強度を向上させるための補強用のリブである。但し、板状リブ４や７などの、板状リブ５、６以外の板状リブは、前記屈曲構造体を構成しないゆえに、その位置や向きや本数などの設け方は、板状リブ５、６よりも自由に設けることができる。言い換えると、これらの前記屈曲構造体を構成しない板状リブは、面板２、３間に配置されるとともに、これらの面板２、３に両端部が各々接合され、概ね車体上下方向に延在してさえいれば、必要な補強に応じて、その位置や向きや本数などの設け方は自由に選択される。因みに、これら前記屈曲構造体を構成しない板状リブの本数は、変形強度を向上させることが可能な複数本とし、車体前方向か後方向かの片側１〜３本ずつ、合計で２〜６本の複数本設けることが好ましい。
【００６８】
板状リブは必ずしも車体前後側に各々同数ずつ設けられる必要はない。しかし、前記同数ずつにしないと、面板２、３同士の中央部２ａ、３ａにおける屈曲の各屈曲点１１、１２や仮想連結線１３に沿った部位での折れ変形をより確実に支配的にすることや、このための設計条件が難しくなる可能性がある。このため、図１でも、車体前側に板状リブ４、５の２本、車体後側に板状リブ６、７の２本の、同数ずつ設けられている。
【００６９】
更に、これら車体前後側の互いの板状リブ同士の間隔や設置角度、面板２、３交点などの配置を、仮想連結線１３を中心にして、車体前後方向に面対称に設けられていることが好ましい。図１でも車体前側の板状リブ４、５の２本と、車体後側の板状リブ６、７の２本とが、仮想連結線１３を中心にして、車体前後方向に面対称に設けられている。これらによって、板状リブによる面板２、３の変形強度向上効果を更に上げ、面板２、３同士の中央部２ａ、３ａにおける屈曲の各屈曲点１１、１２や仮想連結線１３に沿った部位での折れ変形をより確実に支配的にできる。
【００７０】
なお、車体前後側の互いの板状リブ同士の設け方を、必ずしも、前記車体前後方向に面対称にせずとも、車体前後側で変えても良い。例えば、前記仮想連結線１３に対して車体前後方向で隣り合う板状リブ５、６同士は互いに平行とし、かつ、車体前側の板状リブ４や車体前後側の板状リブ６、７の位置は同じとしつつ、車体前側の板状リブ５を仮想連結線１３により近接させても良い。また、これら車体前後側の互いの板状リブ同士の間隔についても、前記屈曲構造体の機能を阻害しない範囲で、面板補強の観点から基本的には自由に設計できる。
【００７１】
この点、図１、２では、この面板補強の観点から、設けられた各板状リブと上方の面板２との各交点間の距離ｄ（間隔）が、下方の面板３との各交点間の距離ｄに比して短い。また、車体前側では、板状リブ４と５の上方の面板２との各交点間の距離ｄ１（間隔）が、下方の面板３との各交点間の距離ｄ２に比して短い。車体後側では、板状リブ６と７の上方の面板２との各交点間の距離ｄ３（間隔）が、下方の面板３との各交点間の距離ｄ４に比して短い。因みに、図１、２では、板状リブ４と５の上方の面板２との交点、板状リブ６と７の上方の面板２との交点は隣接しており、ｄ１、ｄ３は殆ど０であり、板状リブ４と５、板状リブ６と７は逆Ｖ字状の形状（断面形状）を形成している。
【００７２】
なお、このように、各板状リブと上方の面板２との各交点間の距離（間隔）が、下方の面板３との各交点間の距離ｄに比して短い方が、前記屈曲構造体の折れ変形をより確実に支配的にできる利点もある。このような構成例として、図１、２の場合では、車体前側の板状リブ４と５や、車体後側の板状リブ６と７との、上方の面板２との各交点を同じ位置として、交点間の距離を無くして、下方の面板３との各交点間の距離に比して短かくしている。したがって、この図１、２の場合には、車体前側の板状リブ４と５や、車体後側の板状リブ６と７は、前記した仮想連結線１３に対して車体前後方向で隣り合う板状リブ５、６同士を、この仮想連結線１３に対して互いに平行としたことにもより、逆Ｖ字状の形状をなしている。
【００７３】
（ニーブラケット取り付け態様）
次に、ニーブラケットを自動車車室内へ取り付けた本発明の態様を説明する。図３はこの態様を示す斜視図である。図４は図３のニーブラケットの存在部分（図３の左側のニーブラケット）における車体前後方向に亙る断面図である。図３では、ニーブラケット１が、自動車車室内の前座席である運転者席（車室内の右側）側の前方、あるいは運転者席に座る乗員５０の脚部５１の前方、に配置されている態様を示している。なお、車体幅方向の反対側にある助手席側（車室内の左側）でも、ニーブラケット１の態様は基本的に同じである。
【００７４】
ここで、図３、４のニーブラケット１は、前記図１と同様に、面板２、３の内、下方の面板３の厚みが、上方の面板２の厚みよりも薄くなっている。これによって、面板３の中央部３ａにおける屈曲点１２の強度なり剛性なりを低下させ、前記屈曲構造体の折れ変形をより発生しやすくしている。したがって、前記した通り、前記押し込み力による変形が前記面板２、３同士の各屈曲点１１、１２あるいは仮想連結線１３に集中する効果や、前記折れ変形が支配的になる効果が発揮されやすくなっている。
【００７５】
ニーブラケット１は、矢印で示す車体幅方向に互いに間隔を開けて２本設けられ、前記した自動車車室内の前座席前方であって、車体前後方向に延在して配置されている。このニーブラケット１の本数は、通常は図３のように２本であるが、この本数自体は、必要本数さえあれば、特に限定されない。ニーブラケット１は、前記した通り、素材である単一のアルミニウム合金押出中空形材の矢印で示す押出方向が、車体幅方向となる、あるいは車体幅方向に平行となるように、その長手方向が、これとは直角の方角となるように、前記自動車車室内に配置されている。
【００７６】
前記一対の面板２、３の車体後方側の各端部２ｃ、３ｃは、端板８を介して、乗員の膝に対して向き合うニーパネル３０に、ボルトやリベットなどの機械的な接合手段６６によって固定される。なお、図３、４におけるニーパネルとの接合用の端板８は、一対の面板２、３の車体後方側の各端部２ｃ、３ｃに設けられている点は、前記図１、２と同じであるが、前記図１、２の端板８のような、車体上下方向に張り出したフランジは付いていない。この端板８や、そのフランジなどの形状は、固定するニーパネルの位置や形状、あるいは接合手段の選択や設計に応じて、その形状や構造を含めて、適宜選択される。
【００７７】
一方、前記一対の面板２、３の車体前方側の各端部２ｂ、３ｂは、接合用のフランジ９、９を介して、ボルト、リベットなどの機械的な接合手段６１、６２、６３（図示せず、６１の下方側）、６４（６２の下方側）によって、車体であるインパネ補強材２０へ固定される。
【００７８】
ここで、９、９は、前記図１、２と同じく、面板２、３の車体前方側の各端部２ｂ、３ｂから前方に（図１の左側に）、車体の上下方向に間隔を開けて、平行に張り出された、車体であるインパネ補強材２０との接合用のフランジである。このフランジ９、９形状も、ニーブラケット１を固定する車体部材や車体部材の形状、位置、あるいは接合手段の選択や設計に応じて、その形状や構造を含めて、適宜選択される。図３、４の態様でも、前記図１、２と同じく、このフランジ９、９によって、インパネ補強材２０の外周部を挟持する形で、ニーブラケット１を車体に固定し、ボルト、リベットなどの機械的な接合手段６１〜６４によって接合する。
【００７９】
図３、４において、ニーブラケット１は、図１、２と同様に、その一対の面板２、３が、互いにその中央部２ａ、３ａにおいて、下方に向けて屈曲している。即ち、上方の面板２は屈曲点（最下点）１１、面板３は屈曲点（最下点）１２を有し、ニーブラケット１の車体前後方向に亙る断面の全体形状は、前記屈曲点１１、１２を頂点とするＶ字形状あるいはＵ字形状を有する。このＶ字形状あるいはＵ字形状の屈曲は、車室内前方に設けられたダッシュボックス４０などの、他の車体部品や部材との干渉を防止するのに十分な大きさ（屈曲度）を有する。
【００８０】
これに対して、ニーブラケット１が直線的であった場合や多少湾曲させていた場合には、また、ニーブラケット１の車体前後方向の配置角度を変えて、水平ではなく、車体上下方向に角度を付けて傾斜させたとしても、ダッシュボックスなどの他の車体部品や部材との干渉は防止できない。言い換えると、ニーブラケット１は、直線的ではなく、他の車体部品や部材と干渉する箇所を迂回すべく、比較的大きく屈曲させ、変形させる必要がある。即ち、車体に配置されたダッシュボックスなどの他の車体部品との干渉防止が可能な屈曲度に、ニーブラケットを、干渉する箇所においてＶ字あるいはＵ字形状に屈曲させる必要がある。
【００８１】
このように屈曲していることを前提として、ニーブラケット１は、図１、２と同様に、前記した仮想連結線１３が、車体衝突時の前記ニーパネル３０への、矢印で示す乗員５０の膝５１の想定押し込み力方向に対して、直角となるように車体前後方向に配置されている。
【００８２】
（中空形材の設計）
図１などのニーブラケット１の車体前後方向に亙る断面（アルミニウム合金中空押出形材の押出断面）の設計は、車体の設計条件と、本発明の効果発揮（前記押し込み力が負荷された際に、面板２、３の中央部２ａ、３ａ：仮想連結線１３に沿った部位で、最も圧壊しやすく、折れ変形が生じるようにする）のための設計条件とから定まる。ニーブラケット１の車体前後方向に亙る断面（アルミニウム合金中空押出形材の押出断面）の設計は、車体前後方向に亙るニーブラケット１（断面）の長さ、車体上下方向に亙るニーブラケット１（断面）の高さ、車体幅方向に亙るニーブラケット１の幅、面板や板状リブの板厚、長さ、配置位置などである。
【００８３】
ここで、最適なあるいは実用的なニーブラケット１（断面）の長さＬ、前記ニーブラケット１（断面）の高さＨ、前記車体幅方向に亙るニーブラケット１の幅Ｗの各比は、Ｌが１００〜２００ｍｍ程度とすると、Ｌ／Ｈが１．８〜３．５、Ｌ／Ｗが６０〜８０程度である。ＬやＬの比が、これら下限値を越えて大きくなりすぎると、ニーブラケット１のストロークが長くなり過ぎ、エネルギー吸収部である長手方向 (車体前後方向) に亙る断面の圧壊強度が低下し、前記押し込み力（衝突エネルギー）に対し、前記塑性変形することができずに、長手方向に折れ曲がりや破損が生じ易くなる。このため、膝部との小さい衝突荷重（前記押し込み力）では塑性変形できなくなり、前記ストロークの間で衝突エネルギー（前記押し込み力）吸収量を確保することができなくなる可能性がある。
【００８４】
ニーブラケット１の面板や板状リブ、端板、接合用のフランジなどの肉厚（壁厚乃至板厚）は、軽量化のためのアルミニウム合金採用の利点を活かすためには、５ｍｍ以下の比較的薄いことが好ましい。本発明では、肉厚が５ｍｍ以下の薄いものでも、乗員の膝衝突時の衝撃吸収効果を高めることが可能であり、車体の重量増加を最小限に抑える意味からも、肉厚が５ｍｍを越える必要は無い。これによって定まる上方の面板の厚みに応じて、下方の面板の厚みを薄く、その薄くする領域とともに設計する。また、面板と板状リブ、端板、接合用のフランジなどの厚み（肉厚）を全て同じとする必要はなく、本発明の効果発揮と軽量化を図る観点から適宜変えて良い。
【００８５】
このようなニーブラケット１の薄肉、軽量化のためには、使用するアルミニウム合金は、通常は高強度なほど良い。しかし、本発明では、局所変形や不安定な変形が生じにくく、前記面板の中央部における屈曲構造体の折れ変形を保障するためには、０．２％耐力が１５０〜２２０ＭＰａの範囲の中強度で、伸びが高い材料である方が好ましい。加工硬化の度合い（ｎ値）が小さいと、逆に、負荷される荷重（ひずみ）が１点に集中しやすく、局所変形（割れや折れを含め）あるいは不安定な変形が生じやすくなる。これに対して、加工硬化の度合い（ｎ値）が大きいと、前記屈曲構造体の曲げ変形となる屈曲部２ａ、３ａ部位の塑性領域が広がりやすく、前記負荷される荷重が分散され、局所変形あるいは不安定な変形が生じにくくなる。
【００８６】
これらの要求特性を満足するアルミニウム合金材としては、通常、この種構造部材用途に汎用される、ＡＡ乃至ＪＩＳ規格に規定された５０００系、６０００系、７０００系等の汎用 (規格) アルミニウム合金を熱間押出にて製造した押出中空形材を、要求性能に見合った調質乃至熱処理を施したものが好適かつ選択的に用いられる。ただ、これらのアルミニウム合金調質材のうちでも、前記中強度で伸びが高い材料として、特に、６０６３などの６０００系アルミニウム合金のＴ７などの過時効材が好ましい。
【実施例】
【００８７】
以上説明した種々のニーブラケットの形状につき、前記押し込み力による変形を解析した結果を、実施例として以下に示す。
【００８８】
図５、６は前記図１の下方の面板３の厚みが上方の面板２の厚みよりも薄い差厚面板の、発明例ニーブラケットの解析結果である。図５はニーブラケットの変形の経時変化を示す車体前後方向に亙る断面図（側面図）、図６は図５の各解析結果の荷重変位曲線を示す説明図である。
【００８９】
一方、図７、８は、上下の面板２、３の厚みが同じ場合の、比較例ニーブラケットの解析結果である。図７はニーブラケットの変形の経時変化を示す車体前後方向に亙る断面図（側面図）、図８は図７の各解析結果の荷重変位曲線を示す説明図である。
【００９０】
前記図５、７の各図は、前記図６、８の各図の荷重変位曲線における各変位（量）毎の、荷重変形状態の経時変化を各々示す。これら図５、７の各図の左側から順に、押込み前（押込み量０ｍｍ）、押込み（量）＝変位（量）１０ｍｍ、押込み（量）２０ｍｍ、押込み（量）３０ｍｍ毎の荷重変形状態の経時変化を示す。
【００９１】
解析は、ニーブラケットに対する車体後方側（乗員側：図の右側）からの膝衝突による前記押し込み力の荷重負荷を想定した時の、変形の経時変化と荷重−変位関係を各々静的圧壊解析にて求めた。解析ソフトは汎用の有限要素ソルバーＡＢＡＱＵＳを用いた。素材中空押出形材は、共通して、６０００系の６０６３アルミニウム合金押出中空形材のＴ７調質材として、０．２％耐力は１７０ＭＰａとした。
【００９２】
図５の発明例ニーブラケットの面板２、３の内、上方の面板２の厚みを４．８ｍｍとし、下方の面板３の厚みを３．６ｍｍとして、上方の面板２の厚みよりも薄くした。板状リブの肉厚は共通して同じ４．０ｍｍとした。一方、図７の比較例ニーブラケットの面板２、３、板状リブの肉厚は、共通して同じ４．０ｍｍとした。ニーブラケットの外寸形状は、共通して、前記長さＬ：１２０ｍｍ、前記高さＨ：６０ｍｍ、前記幅Ｗは３０ｍｍとし、Ｌ／Ｈが２．０、Ｌ／Ｗが４０程度となるようにし、屈曲度は直線に対する屈曲角度が１２０度とした。
【００９３】
図５、７の発明例、比較例とも、４本の板状リブ４、５および６、７の面板２、３との各交点間の距離ｄ１、ｄ３は０ｍｍ、ｄ２、ｄ４は２０ｍｍとした。これら板状リブの内、仮想連結線１３に対して車体前後方向で隣り合う板状リブ５、６同士は、この仮想連結線１３に対して互いに平行に、かつその向きがほぼ垂直に（車体上下方向に）に設けた。また、これら車体前後側の互いの板状リブ同士の間隔や設置角度、面板２、３交点などの配置を、仮想連結線１３を中心にして、車体前後方向に面対称に設けた。
【００９４】
そして、図５、７では、前記した通り、想定される乗員の膝の押し込み力方向に対して、受圧面の延在方向が、直角方向ではなく、直角方向から大きくずれて、車体後方側に（図の右側に）大きく傾いている。
【００９５】
図６から分かる通り、図５の発明例ニーブラケットは、荷重変位における最大荷重を低くすることができ、乗員の膝衝突に見合った小さな衝突荷重で、エネルギー吸収に必要な断面方向 (幅方向) の塑性変形を生じることができる。また、塑性変形による変位が進んでも、局所的な変形や部分的な破断などが起こらず、荷重低下量が極めて少なく、ニーブラケットのストロークに渡って、継続的にエネルギー吸収が行われ、乗員の膝衝突に必要なエネルギー吸収量を確保できることが分かる。
【００９６】
これに対し、図８の比較例ニーブラケットは、乗員の膝の押し込み力が作用した場合、薄い実線で示す元の形状からの変形後の形状を実線で示す通り、受圧面が反時計回りに回転するように変形してしまう。この結果、前記押し込み力による変形が前記面板２、３同士の各屈曲点１１、１２あるいは仮想連結線１３に集中しなくなり、折れ変形が生じず、荷重低下量が大きく、前記した安定した圧壊荷重特性が得にくい。
【００９７】
これらの結果から、本発明ニーブラケットの各要件の意義、特に前記屈曲構造体を設ける効果が裏付けられる。
【産業上の利用可能性】
【００９８】
本発明によれば、ニーブラケットを、比較的大きく屈曲させた場合でも、要求される前記圧壊特性を発揮しうるアルミニウム合金製ニーブラケットを提供することができる。このため、ニーブラケットにおいて、乗員の膝衝突の際に必要なエネルギー吸収量を確保することと、ダメージを与えない荷重しか乗員の膝に負荷しないこととの両立が図れる。また、ニーブラケットへのアルミニウム合金材の用途を大きく拡大するものであり、工業的な価値が大きい。
【図面の簡単な説明】
【００９９】
【図１】ニーブラケットの一態様を示す断面図である。
【図２】図１のニーブラケットの変形状態を示す断面図である。
【図３】ニーブラケットの取り付け態様を示す斜視図である。
【図４】図３の断面図である。
【図５】発明例ニーブラケットの解析による変形の経時変化を示す断面図である。
【図６】図５の荷重−変位関係を示す説明図である。
【図７】比較例ニーブラケットの解析による変形の経時変化を示す断面図である。
【図８】図７の荷重−変位関係を示す説明図である。
【符号の説明】
【０１００】
１：ニーブラケット、２、３：面板、４、５、６、７：板状リブ、８、１０：端板、９：フランジ、１１、１２：屈曲点、１３：仮想連結線、１４：押し込み方向、２０：インパネ補強材乗員、３０：ニーパネル、４０：ダッシュボックス、５０：乗員、５１：膝、６０〜：機械的接合手段、
【図１】
2010100238.tif 000003
【図２】
2010100238.tif 000004
【図３】
2010100238.tif 000005
【図４】
2010100238.tif 000006
【図５】
2010100238.tif 000007
【図６】
2010100238.tif 000008
【図７】
2010100238.tif 000009
【図８】
2010100238.tif 000010